(57)【要約】【課題】  安価な構成でかつ回路規模の小さい画像処理装置を提供することを目的とする。【解決手段】  画像処理装置１００は、画像処理パラメータおよび制御データの少なくとも一方を、画像データを転送するビデオインターフェース１８０を介して転送するデータ入力手段１４０と、ビデオインターフェース１８０から入力されたデータを識別し、画像処理パラメータおよび制御データの少なくとも一方を利用して所定の画像処理を行う画像処理手段１５０、１６０、１７０と、画像処理手段１５０、１６０、１７０に対応して設けられ、画像処理パラメータおよび制御データの少なくとも一方を格納する格納手段１５１、１５２、１６１、１６２、１７１、１７２を備える。【選択図】          図２
2006229505.tif 000002
【特許請求の範囲】
【請求項１】
画像処理パラメータおよび制御データの少なくとも一方を、画像データを転送するビデオインターフェースを介して転送するデータ入力手段と、
前記ビデオインターフェースから入力されたデータを識別し、前記画像処理パラメータおよび前記制御データの少なくとも一方を利用して所定の画像処理を行う画像処理手段とを備えることを特徴とする画像処理装置。
【請求項２】
前記画像処理手段に対応して設けられ、前記画像処理パラメータおよび前記制御データの少なくとも一方を格納する格納手段をさらに備えることを特徴とする請求項１に記載の画像処理装置。
【請求項３】
前記画像処理手段は、前記入力されたデータに自処理手段に対する画像処理パラメータを含むと判断した場合、前記入力された画像処理パラメータに基づいて、使用する画像処理パラメータを変更することを特徴とする請求項１に記載の画像処理装置。
【請求項４】
前記画像処理手段は、前記入力されたデータに自処理手段に対する制御データを含むと判断した場合、前記入力された制御データに基づいて、使用する制御データを変更することを特徴とする請求項１に記載の画像処理装置。
【請求項５】
前記データ入力手段は、前記画像処理パラメータおよび前記制御データの少なくとも一方を前記画像データの無効期間に転送することを特徴とする請求項１に記載の画像処理装置。
【請求項６】
前記データ入力手段は、前記画像処理パラメータおよび前記制御データの少なくとも一方をページ間の画像データの無効期間を利用して転送することを特徴とする請求項１に記載の画像処理装置。
【請求項７】
前記データ入力手段は、前記画像処理パラメータおよび前記制御データの少なくとも一方をライン間の画像データの無効期間を利用して転送することを特徴とする請求項１に記載の画像処理装置。
【請求項８】
前記データ入力手段は、前記画像処理手段への画像データ入力終了をトリガとして、次ページの画像処理パラメータおよび制御データの少なくとも一方の転送を開始することを特徴とする請求項１に記載の画像処理装置。
【請求項９】
前記画像処理手段は複数設けられ、
前記複数の画像処理手段がパイプライン接続されていることを特徴とする請求項１に記載の画像処理装置。
【請求項１０】
前記画像処理手段は複数設けられ、
前記複数の画像処理手段が選択的にパイプライン接続されることを特徴とする請求項１に記載の画像処理装置。
【請求項１１】
前記画像処理手段は複数設けられ、
前記複数の画像処理手段のうちの第１の画像処理手段は、前記入力された制御データに基づいて、接続する他の画像処理手段を決定することを特徴とする請求項１に記載の画像処理装置。
【請求項１２】
前記画像処理手段は複数設けられ、
前記データ入力手段は、前記複数の画像処理手段に対して共通に設定する画像処理パラメータおよび制御データの少なくとも一方を共通データとして転送することを特徴とする請求項１に記載の画像処理装置。
【請求項１３】
前記画像処理手段は複数設けられ、
前記複数の画像処理手段うちの第１の画像処理手段は、画像処理結果に基づいて、後段の画像処理手段で用いる画像処理パラメータおよび制御データの少なくとも一方を生成し、生成した画像処理パラメータおよび制御データの少なくとも一方を前記ビデオインターフェースを介して転送することを特徴とする請求項１に記載の画像処理装置。
【請求項１４】
前記ビデオインターフェースは、単一のビデオインターフェースである請求項１に記載の画像処理装置。
【請求項１５】
画像処理パラメータおよび制御データの少なくとも一方を、画像データを転送するビデオインターフェースを介して、該画像データの無効期間を利用して転送するステップと、
前記ビデオインターフェースから入力されたデータを識別し、前記画像処理パラメータおよび前記制御データの少なくとも一方を利用して所定の画像処理を行うステップとを有することを特徴とする画像処理方法。
【発明の詳細な説明】
【技術分野】
【０００１】
本発明は、画像データを処理して出力する画像処理装置および画像処理方法に関する。
【背景技術】
【０００２】
一般に、画像データを処理して記録媒体に出力する画像処理システムが提案されている。図１は従来の画像処理システムを説明するための図である。図１に示すように、従来の画像処理装置システム１０は、ＣＰＵ１、システムメモリ２および画像処理装置３を備える。画像処理装置３は、画像入力手段４、複数の画像処理手段５、６、７、各画像処理手段５、６、７に対応したＬＵＴ（Look Up Table）５１、６１、７１、各画像処理手段５、６、７に対応したレジスタ５２、６２、７２を備える。
【０００３】
ＣＰＵ１は、バス８を介して各画像処理手段５、６、７に接続されている。各画像処理手段５、６、７は、ＣＰＵ（Central Processing Unit）・Ｉ／Ｆと主走査同期信号（LineSync信号：LSYNC信号）、ページ単位の同期信号である副走査同期信号（PSYNC信号）を含む入力ビデオインターフェース、出力ビデオインターフェースを備え、ＣＰＵ・Ｉ／Ｆによって動作モード、あるいは各種テーブルを設定し、入力ビデオインターフェースを介して転送されるデータを処理し、出力ビデオインターフェースを介して後段画像処理手段に転送する。ここで、ＬＵＴ５１、６１、７１内のＬＵＴデータやレジスタ５２、６２、７２はビデオインターフェースでの処理が終了し、次ページの動作開始までの間に設定を行う必要がある。
【０００４】
画像処理手段５、６、７間のビデオインターフェースは、高速、高画質な画像出力を得るためにより大きなバンド幅を確保されているが、バンド幅が小さいＣＰＵ・Ｉ／Ｆでは動作モードを設定するための多数の内部レジスタや色変換／濃度変換／スクリーン生成に使用される大きなサイズのＬＵＴデータを高速で動作する画像処理装置のページ間で全て設定することができない。このため、各画像処理手段５、６、７は、複数ページ分の内部レジスタ５２、６２、７２や複数面のＬＵＴ５１、６１、７１を備え、さらに一連のジョブ内ではＬＵＴ５１、６１、７１の書き換えを行わずに再設定回数を削減することで生産性を確保している。
【特許文献１】特開２００２−１６６６０２号公報
【発明の開示】
【発明が解決しようとする課題】
【０００５】
しかしながら、上記従来の構成では、複数ページ分のレジスタ５２、６２、７２／ＬＵＴ５１、６１、７１によって回路規模が大きくなり、安価な製品を構成することができないという問題がある。また、画像処理内容を変更する毎にＬＵＴ５１、６１、７１の書き換えのために生産性を下げてしまうという問題がある。また、この問題点を解消するために、ＣＰＵ・Ｉ／Ｆのバンド幅を大きくすることで生産性を確保することも考えられるが、バンド幅の大きなＣＰＵ・Ｉ／Ｆを備えることで、端子数／配線領域、あるいは回路規模が大きくなり、製造コストが高くなるという問題がある。
【０００６】
そこで、本発明は、上記問題点に鑑みてなされたもので、安価な構成でかつ回路規模の小さい画像処理装置および画像処理方法を提供することを目的とする。
【課題を解決するための手段】
【０００７】
上記課題を解決するために、本発明は、画像処理パラメータおよび制御データの少なくとも一方を、画像データを転送するビデオインターフェースを介して転送するデータ入力手段と、前記ビデオインターフェースから入力されたデータを識別し、前記画像処理パラメータおよび前記制御データの少なくとも一方を利用して所定の画像処理を行う画像処理手段とを備える画像処理装置である。本発明によれば、リアルタイム性が保証されるビデオインターフェースを介して画像処理パラメータおよび制御データを転送することで、最小限のリソースで画像処理手段を構成できる。さらに、ビデオインターフェースに接続される画像処理手段に対するＣＰＵＩ／Ｆが不要となり、ＬＳＩコスト、ボード実装コスト、ローカルＣＰＵコストを削減することができる。よって、安価な構成でかつ回路規模の小さい画像処理装置を提供できる。
【０００８】
本発明は、前記画像処理手段に対応して設けられ、前記画像処理パラメータおよび前記制御データの少なくとも一方を格納する格納手段をさらに備える。本発明によれば、画像処理パラメータおよび制御データを格納する格納手段を複数個設ける必要が無くなる。前記画像処理手段は、前記入力されたデータに自処理手段に対する画像処理パラメータを含むと判断した場合、前記入力された画像処理パラメータに基づいて、使用する画像処理パラメータを変更することを特徴とする。本発明によれば、画像処理パラメータを変更するので、複数の画像処理パラメータを用意する必要がなくなる。
【０００９】
前記画像処理手段は、前記入力されたデータに自処理手段に対する制御データを含むと判断した場合、前記入力された制御データに基づいて、使用する制御データを変更することを特徴とする。本発明によれば、制御データを変更するので、複数の制御データを用意する必要がない。前記データ入力手段は、前記画像処理パラメータおよび前記制御データの少なくとも一方を前記画像データの無効期間に転送することを特徴とする。本発明によれば、生産性を落とすことなく、最適なＬＵＴによる画像処理／出力を行うことができる。
【００１０】
前記データ入力手段は、前記画像処理パラメータおよび前記制御データの少なくとも一方をページ間の画像データの無効期間を利用して転送することを特徴とする。本発明によれば、画像データと同一インターフェースを介して画像処理ブロックとのデータ転送を制御することで、ページ間ギャップを最大効率で使用することができ、生産性を落とすことなく、最適なＬＵＴによる画像処理／出力を行うことができる。
【００１１】
前記データ入力手段は、前記画像処理パラメータおよび前記制御データの少なくとも一方をライン間の画像データの無効期間を利用して転送することを特徴とする。本発明によれば、生産性を落とすことなく、最適なＬＵＴによる画像処理／出力を行うことができる。前記データ入力手段は、前記画像処理手段への画像データ入力終了をトリガとして、次ページの画像処理パラメータおよび制御データの少なくとも一方の転送を開始することを特徴とする。
【００１２】
前記画像処理手段は複数設けられ、前記複数の画像処理手段がパイプライン接続されていることを特徴とする。前記画像処理手段は複数設けられ、前記複数の画像処理手段が選択的にパイプライン接続されることを特徴とする。前記画像処理手段は複数設けられ、前記複数の画像処理手段のうちの第１の画像処理手段は、前記入力された制御データに基づいて、接続する他の画像処理手段を決定することを特徴とする。前記画像処理手段は複数設けられ、前記データ入力手段は、前記複数の画像処理手段に対して共通に設定する画像処理パラメータおよび制御データの少なくとも一方を共通データとして転送することを特徴とする。
【００１３】
前記画像処理手段は複数設けられ、前記複数の画像処理手段うちの第１の画像処理手段は、画像処理結果に基づいて、後段の画像処理手段で用いる画像処理パラメータおよび制御データの少なくとも一方を生成し、生成した画像処理パラメータおよび制御データの少なくとも一方を前記ビデオインターフェースを介して転送することを特徴とする。前記ビデオインターフェースは、単一のビデオインターフェースである。
【００１４】
本発明は、画像処理パラメータおよび制御データの少なくとも一方を、画像データを転送するビデオインターフェースを介して、該画像データの無効期間を利用して転送するステップと、前記ビデオインターフェースから入力されたデータを識別し、前記画像処理パラメータおよび前記制御データの少なくとも一方を利用して所定の画像処理を行うステップとを有する画像処理方法である。よって、安価な構成でかつ回路規模の小さい画像処理方法を提供できる。
【発明の効果】
【００１５】
本発明によれば、安価な構成でかつ回路規模の小さい画像処理装置および画像処理方法を提供することができる。
【発明を実施するための最良の形態】
【００１６】
以下、本発明を実施するための最良の形態について説明する。図２は本発明の実施形態に係る画像処理システムを説明するための図である。図３は単一ビデオインターフェースに転送するデータを説明するための図である。図２に示すように、画像処理システム１００は、メモリ２および画像処理装置１０３を備える。画像処理装置１０３は、データ入力手段１４０、画像処理手段１５０、１６０、１７０、ＬＵＴ１５１、１６１、１７１、レジスタ１５２、１６２、１７２を備える。データ入力手段１４０、画像処理手段１５０、１６０、１７０は単一のビデオインターフェース１８０を介して接続されている。
【００１７】
データ入力手段１４０は、画像処理パラメータおよび制御データの少なくとも一方を、画像データを転送するビデオインターフェース１８０を介して転送するものである。具体的には、データ入力手段１４０は、システムメモリ２に格納された次処理ページの画像処理パラメータ、画像処理手段１５０、１６０、１７０を所定動作させるために設定する制御データおよび入力画像データを取り込み、これらをリアルタイム性が保証されたビデオインターフェース信号に変換して画像処理手段１５０に出力する。
【００１８】
データ入力手段１４０は、図３に示すように、画像処理パラメータおよび制御データを画像データの無効期間を利用して転送する。より詳細には、データ入力手段１４０は、画像処理パラメータおよび制御データをページ間に発生する無効期間Ｔ１１、Ｔ１２、あるいはライン間に発生する無効期間Ｔ２１〜Ｔ２６を利用して転送する。すなわち、データ入力手段１４０は、次ページ処理するためのＬＵＴデータを含む画像処理パラメータや制御データ（１）をページ間Ｔ１１、Ｔ１２で転送し、ページ内濃度変動、または１ライン、あるいは複数ライン単位で主走査長を補正する（全倍率補正）するための制御データ（２）をライン間Ｔ２１〜Ｔ２６で転送する。
【００１９】
データ入力手段１４０は、画像処理手段１５０への画像データ入力終了をトリガとして、次ページの画像処理パラメータおよび制御データの少なくとも一方の転送を開始する。データ入力手段１４０は、複数の画像処理手段１５０、１６０、１７０に対して共通に設定する画像処理パラメータおよび制御データの少なくとも一方を共通データとして転送する。
【００２０】
画像処理手段１５０は、画像処理結果に基づいて、後段の画像処理手段１６０、１７０で用いる画像処理パラメータおよび制御データの少なくとも一方を生成し、生成した画像処理パラメータおよび制御データの少なくとも一方をビデオインターフェース１８０を介して転送するようにしても良い。たとえば、ある画像処理手段が画像処理によって得た情報、例えば、濃度累積情報などを画像処理パラメータとして後段画像処理手段に転送する場合にもビデオインターフェース１８０を介して転送する。ＬＵＴ１５１、１６１、１７１は、画像処理パラメータを格納するものであり、色変換、濃度変換、スクリーン生成などに使用するＬＵＴデータを保持するものである。レジスタ１５２、１６２、１７２は、制御データを格納するものであり、動作モードを設定するための制御データを保持するものである。
【００２１】
各画像処理手段１５０、１６０、１７０は、統合されたビデオインターフェース１８０から入力されたデータを識別し、画像処理パラメータおよび制御データの少なくとも一方を利用して所定の画像処理を行うものである。具体的には、各画像処理手段１５０、１６０、１７０は、入力されたデータに自処理手段に対する画像処理パラメータを含むと判断した場合、入力された画像処理パラメータをＬＵＴ１５１、１６１、１７１に格納して、使用する画像処理パラメータを変更する。また、各画像処理手段１５０、１６０、１７０は、入力されたデータに自処理手段に対する制御データを含むと判断した場合、入力された制御データをレジスタ１５２、１６２、１７２に格納して、使用する制御データを変更する。
【００２２】
また、本実施例では、複数の画像処理手段１５０、１６０、１７０がパイプライン接続されている。複数の画像処理手段１５０、１６０、１７０は、データ入力手段１４０からの制御データに基づいて選択的にパイプライン接続するようにしてもよい。また、画像処理手段は、入力された制御データに基づいて、接続する他の画像処理手段を決定するようにしても良い。
【００２３】
次に、画像処理システム１００の動作について説明する。図４は、画像処理システムの動作フローチャートである。ステップＳ１で、データ入力手段１４０は、システムメモリ２に格納された次処理ページの画像処理パラメータ、画像処理手段１５０、１６０、１７０を所定動作させるために設定する制御データおよび画像データを取り込む。ステップＳ２で、データ入力手段１４０は、画像処理パラメータ、制御データおよび画像データをリアルタイム性が保証されたビデオインターフェース信号に変換して画像処理手段１５０に出力する。
【００２４】
ステップＳ３で、各画像処理手段１５０、１６０、１７０は、統合されたビデオインターフェース１８０から画像データの無効期間に転送される画像処理パラメータと制御データが自画像処理手段に対する該当データであるか否かを識別し、該当データである場合にはビデオインターフェース信号に同期して、画像処理パラメータをＬＵＴ１５１〜１７１に、制御データをレジスタ１５２、１６２、１７２にそれぞれ格納する。ステップＳ４で、各画像処理手段１５０、１６０、１７０は、ＬＵＴ１５１、１６１、１７１に格納されたＬＵＴデータおよびレジスタ１５２、１６２、１７２内の制御データに基づいて、色変換、濃度変換、スクリーン生成などの画像処理を行う。
【００２５】
上記構成により、従来の構成とは異なり、複数ページ分のレジスタ／ＬＵＴを持つ必要がないため、回路規模を小さくすることができ、安価な製品を構成することができる。また、画像処理内容を変更する毎にＬＵＴの書き換えのために生産性を下げてしまうという問題も解決される。バンド幅の大きなＣＰＵ・Ｉ／Ｆを備える必要もないので、端子数／配線領域、あるいは回路規模が大きくなることはなく、製造コストが高くなるという問題もなくなる。さらに、設定完了までの時間はＣＰＵ処理状況や画像処理ブロックに接続されたバス状況によって影響を受けることもない。なお、ＬＵＴ１５１、１６１、１７１およびレジスタ１５２、１６２、１７２が格納手段に対応する。
【００２６】
以上本発明の好ましい実施例について詳述したが、本発明は係る特定の実施例に限定されるものではなく、特許請求の範囲に記載された本発明の要旨の範囲内において、種々の変形、変更が可能である。
【図面の簡単な説明】
【００２７】
【図１】従来の画像処理システムを説明するための図である。
【図２】本発明の実施形態に係る画像処理システムを説明するための図である。
【図３】単一ビデオインターフェースに転送するデータを説明するための図である。
【図４】画像処理システムの動作フローチャートである。
【００２８】
１００  画像処理システム
２  システムメモリ
１０３  画像処理装置
１４０  データ入力手段
１５０、１６０、１７０  画像処理手段
１５１、１６１、１６２  ＬＵＴ
１５２、１６２、１７２  レジスタ
【図１】
2006229505.tif 000003
【図２】
2006229505.tif 000004
【図３】
2006229505.tif 000005
【図４】
2006229505.tif 000006